(57)【要約】【課題】オゾンが分解されないようにするため、室内機内部を低温度、低湿度の状態としてから、オゾンによるクリーン運転を行う。【解決手段】電気集塵部７およびマイナスイオン発生部８からオゾンを発生させて室内機内部の殺菌、脱臭を行うクリーン運転を行う場合、室温センサ９および湿度センサ１０により室温および湿度を検出して露点温度Ｔｄを算出して冷房運転を行うとともに、室内熱交換温度センサ１１により室内熱交換温度Ｔｎを検出して監視し、室内熱交換温度Ｔｎが露点温度Ｔｄ以下となる前に冷房運転を終了し、室内機内部を低温度・低湿度状態としたうえで、特定された第１および第２クリーン運転を実行する。【選択図】　　図１
2004020118.tif 000002
【特許請求の範囲】
【請求項１】
開閉パネルを有する前面空気吸入口および常開空気吸入口を少なくとも含む空気吸入口と、上記前面空気吸入口の下方位置に設けられた空気吹き出し口とを結ぶ空気通路内に、熱交換器および室内送風ファンが配置された室内機ハウジングを備え、上記常開空気吸入口と上記熱交換器との間に電気集塵器が配置され、上記空気吹き出し口内にはマイナスイオン発生器が配置されているとともに、上記前面空気吸入口と上記空気吹き出し口との間で空気のショートサーキットを形成し得る補助開閉パネルを有し、オゾンによるクリーン運転が可能な空気調和機の制御方法において、
上記クリーン運転時には、上記室内機ハウジング内に配置された室温センサおよび湿度センサにより室温および室内湿度を検出し、その室温および室内湿度から露点温度Ｔｄを算出してから冷房運転を開始するとともに、室内熱交換温度センサを用いて室内熱交換温度Ｔｎを検出し、その室内熱交換温度Ｔｎが上記露点温度Ｔｄ以下となる前に冷房運転を終了した後、上記開閉パネルを閉とし上記補助開閉パネルを開として、上記電気集塵器よりオゾンを発生させた状態で、上記室内送風ファンを所定時間連続的あるいは間欠的に正回転させる第１クリーンモードを実行し、しかる後、上記開閉パネルおよび上記補助開閉パネルをともに閉じて、上記マイナスイオン発生器によりオゾンを発生させた状態で、上記室内送風ファンを所定時間連続的あるいは間欠的に逆回転させる第２クリーンモードを実行するようにしたことを特徴とする空気調和機の制御方法。
【請求項２】
上記空気吹き出し口内には、空気の吹き出し方向を変える上下風向板が備えられており、上記第１クリーンモード時には、上記上下風向板を上記補助開閉パネル向きとして、上記吹き出し口と上記補助開閉パネルとの間に空気のショートサーキットを形成する請求項１に記載の空気調和機の制御方法。
【請求項３】
上記第１クリーンモードおよび上記第２クリーンモード時には、運転モードを送風モードとする請求項１または２に記載の空気調和機の制御方法。
【請求項４】
上記冷房運転を実行するに先だって、暖房運転を所定時間行い、上記室内機ハウジングの内部を乾燥する請求項１，２または３に記載の空気調和機の制御方法。
【請求項５】
上記暖房モードによる乾燥運転時には、上記開閉パネルおよび上記補助開閉パネルを開とし、上記上下風向板を水平状態とする請求項４に記載の空気調和機の制御方法。
【請求項６】
当該空気調和機が所定の運転モードで運転されている際に、上記クリーン運転が選択された場合、そのクリーン運転終了後には、当該空気調和機を上記クリーン運転直前の運転モードに戻す請求項１ないし５のいずれか１項に記載の空気調和機の制御方法。
【発明の詳細な説明】
【０００１】
【発明の属する技術分野】
本発明は、空気調和機の制御方法に関し、さらに詳しく言えば、オゾンにより室内機内部の殺菌，脱臭を行うクリーン運転時における空気調和機の制御方法に関するものである。
【０００２】
【従来の技術】
最近の空気調和機の分野においては、種々の機能を付加して快適性を追求するものが提案されている。その一例として、電気集塵器（電気式空気清浄ユニット）を室内機に搭載し、タバコの煙などの細かいほこりを高電圧で帯電して集塵し、空気の汚れを集め、室内環境の向上を図るようにしたものがある。
【０００３】
ところで、冷房運転やドライ運転（弱冷房運転）を行うと、室内熱交換器に凝縮水が付着し、その凝縮水はドレンパンを介して室外に排出されるが、その運転停止後には、凝縮水が室内熱交換器やドレンパンに残ることがある。
【０００４】
この残留凝縮水にホコリなどが付着すると、室内機内部でカビなどの雑菌が繁殖したり、不快な臭いを発生することになる。その不快な臭いを抑えるために、電気集塵器によりオゾンを発生させて室内機内部を殺菌するクリーン運転を行うとき、室内熱交換器やドレンパンに凝縮水が残されていると、オゾンによる殺菌、脱臭効果が低下することがある。
【０００５】
【発明が解決しようとする課題】
そこで、クリーン運転を行う前に室内機内部を乾燥させる乾燥運転を行うようにしているが、乾燥運転は実質的に暖房運転であるため、その乾燥運転直後の室内機内部はオゾンが分解されやすい高温・高湿状態となっている。
【０００６】
そのため、高温・高湿状態のままクリーン運転に移行すると、オゾンが室内機内部に十分に行き渡る前に分解してしまい、殺菌、脱臭が効果的に行われないという問題があった。
【０００７】
したがって、本発明の課題は、室内機内部を低温度、低湿度の状態としてから、オゾンによるクリーン運転を行うことにより、オゾンを室内機内部に十分に行き渡らせて確実に殺菌、脱臭を行うことができるようにすることにある。
【０００８】
【課題を解決するための手段】
上記課題を解決するため、本発明は、開閉パネルを有する前面空気吸入口および常開空気吸入口を少なくとも含む空気吸入口と、上記前面空気吸入口の下方位置に設けられた空気吹き出し口とを結ぶ空気通路内に、熱交換器および室内送風ファンが配置された室内機ハウジングを備え、上記常開空気吸入口と上記熱交換器との間に電気集塵器が配置され、上記空気吹き出し口内にはマイナスイオン発生器が配置されているとともに、上記前面空気吸入口と上記空気吹き出し口との間で空気のショートサーキットを形成し得る補助開閉パネルを有し、オゾンによるクリーン運転が可能な空気調和機の制御方法において、上記クリーン運転時には、上記室内機ハウジング内に配置された室温センサおよび湿度センサにより室温および室内湿度（相対湿度）を検出し、その室温および室内湿度から露点温度Ｔｄを算出してから冷房運転を開始するとともに、室内熱交換温度センサを用いて室内熱交換温度Ｔｎを検出し、その室内熱交換温度Ｔｎが上記露点温度Ｔｄ以下となる前に冷房運転を終了した後、上記開閉パネルを閉とし上記補助開閉パネルを開として、上記電気集塵器よりオゾンを発生させた状態で、上記室内送風ファンを所定時間連続的あるいは間欠的に正回転させる第１クリーンモードを実行し、しかる後、上記開閉パネルおよび上記補助開閉パネルをともに閉じて、上記マイナスイオン発生器によりオゾンを発生させた状態で、上記室内送風ファンを所定時間連続的あるいは間欠的に逆回転させる第２クリーンモードを実行するようにしたことを特徴としている。
【０００９】
この構成によれば、クリーン運転前に室内機の内部が低温度、低湿度とされるため、オゾンが分解されることなく、室内機の内部に行き渡り、そのオゾンにより主に室内機本体前面側の熱交換器および室内送風ファンなどが殺菌され、臭いのもととなるカビなどが除去される。
【００１０】
また、上記第１クリーンモード時には、電気集塵部によってオゾンを発生させて、室内送風ファンを正回転（空気を吸入口から吹き出し口へ流す方向）とし、第２クリーンモード時には、室内送風ファンを逆回転（空気を吹き出し口から吸入口へ流す方向）とし、マイナスイオン発生部によってもオゾンを発生させることにより、それらのオゾンにより主に空気吸入口側の空気通路、室内送風ファンおよび背面側の熱交換器などが殺菌される。
【００１１】
また、上記第１クリーンモード時には、上記空気吹き出し口内に設けられている上下風向板を上記補助開閉パネル向きとして、上記吹き出し口と上記補助開閉パネルによる吸入口と間に空気のショートサーキットを形成することにより、オゾンが室内に漏れにくくなり、オゾンの利用効率が向上するとともに、補助開閉パネル近くのドレンパンなども効果的に殺菌される。
【００１２】
クリーン運転を冷房モードや暖房モードで行ってもよいが、省エネルギの観点からすれば、上記第１クリーンモードおよび第２クリーンモードは、送風モードで行うことが好ましい。
【００１３】
また、上記冷房運転を実行するに先だって、暖房運転を所定時間行い、上記室内機の内部を乾燥させることが好ましい。これにより、クリーン運転を行うときには、室内機内部が乾燥されており、オゾンの殺菌効果を下げる水分が殆どなくなっていることから、電気集塵部およびマイナスイオン発生部によって発生したオゾンによる殺菌が効果的に行われる。
【００１４】
上記暖房モードによる乾燥運転時には、上記開閉パネルおよび補助開閉パネルを開とし、上記上下風向板を水平状態にするとよい。これによると、室内機内部の乾燥が速やかに行われ、室内機内部の殺菌などに係るトータル的なクリーン運転時間がより短くて済むことなる。
【００１５】
また、所定運転モードで運転されている際に、上記クリーン運転が選択された場合、そのクリーン運転終了後には、当該空気調和機を同クリーン運転直前の運転モードに戻すようにすることが好ましい。これによれば、使用者がクリーン運転終了後に再度リモコンを操作する必要がなくなり、クリーン運転直前の運転モードの設定状態を覚えていなくともよいことになる。
【００１６】
【発明の実施の形態】
次に、図１ないし図４を参照して、本発明の実施形態について説明する。図１は本発明による空気調和機の室内機の構成を概略的に示す模式図、図２は空気調和機の制御系を概略的に示すブロック図である。
【００１７】
これによると、この空気調和機は、室内機側の制御回路１と室外機側の制御回路２とを備えている。各制御回路１，２は、例えばマイクロコンピュータからなり、基本的な動作として室温コントロールに必要な制御を行う。
【００１８】
その一方で、クリーン運転時には、室内機内部の乾燥運転を行った後、室温・室内湿度を検出し、それに基づいて露点温度Ｔｄを算出して冷房運転を開始するとともに、室内熱交換温度Ｔｎを監視して同熱交換温度Ｔｎが露点温度Ｔｄ以下となる前に冷房運転を終了し（好ましくは、室内熱交換温度Ｔｎが所定値（Ｔｄ＋２℃）未満となるまで冷房運転を行い）、室内機内部を低温度および低湿度とする。
【００１９】
しかる後、電気式空気清浄ユニットに通電してオゾンを発生させて室内機内部を殺菌、脱臭する第１クリーンモードでの運転を行い、さらにマイナスイオン発生部によってもオゾンを発生させて室内機内部を殺菌、脱臭する第２クリーンモードでの運転を行う。
【００２０】
この実施形態において、室内機は壁掛け型で、そのハウジングの前面から上面にかけて空気吸入口が形成されており、ハウジング前面の空気吸入口には、前面開閉パネル３ａが設けられている。また、前面開閉パネル３ａの下方で空気吹き出し口寄りの位置には、マルチパネル（補助開閉パネル）３ｂが設けられている。
【００２１】
マルチパネル３ｂは、上端側を基点として下端側が開き、空気吹き出し口から吹き出された空気を室内機の内部に戻すショートサーキットを形成する。前面パネル部３ａの上部および室内機上面には、開閉パネルを有しない常時開状態の空気吸入口３ｃ，３ｄが設けられている。
【００２２】
室内機ハウジングの下方には空気吹き出し口が設けられており、その内部には空気の吹き出し方向を上下方向に変えるための上下風向板部４と、左右方向に変えるための図示しない左右風向板とが設けられている。
【００２３】
また、室内機の空気吸入口と空気吹き出し口とを結ぶ空気通路内には、ハウジングの背面側から前面側にかけてΛ（ラムダ）型とした室内熱交換器５ａ，５ｂ，５ｃと、正逆回転可能なクロスフローファンからなる室内送風ファン６とが配置されている。
【００２４】
常時開状態の空気吸入口３ｃ，３ｄのうちの空気吸入口３ｃの背面で、室内熱交換器５ｂの前には電気式空気清浄ユニットとしての電気集塵部７が配置されている。また、空気吹き出し口付近には吹き出し空気にマイナスイオンを含ませるマイナスイオン発生部８が配置されている。
【００２５】
また、室内機の内部には、室温を検出する室温センサ９および室内の湿度を検出する湿度センサ１０が配置されている。この例において、室温センサ９および湿度センサ１０は、空気吸入口３ｃの背面側に設けられているが、その位置は任意に選択できる。さらに、室内熱交換器５ａ，５ｂ，５ｃのうちの例えば室内熱交換器５ｂの冷媒流入口には、室内熱交換温度センサ１１が配置されている。
【００２６】
室内機の他の構成として、ハウジングの前面側には、リモコン１２からのリモコン信号を受信する受信部および運転状態を表示する本体表示部１３が備えられている。また、室内熱交換器５ｃの下部には、同熱交換器から滴下する凝縮水を受けて室外に排出するためのドレンパン１４が備えられている。
【００２７】
図示しないが、室内熱交換器５ａの下部にもドレンパンが設けられている。なお、室外機には、室内熱交換器５ａ，５ｂ，５ｃとともに冷凍サイクルを構成する四方弁１５および圧縮機１６と、室外送風ファン１７とが設けられている。
【００２８】
室内機の制御回路１は、リモコン１２の設定操作に応じて開閉パネル３ａ、マルチパネル３ｂ、上下風向板部４および室内送風ファン６などを制御する一方、室温と設定温度の差に応じた圧縮機の運転コードなどを室外機側の制御回路２に送信するとともに、その制御回路２との間で室温コントロールに必要な信号の授受を行い、また、リモコン１２の設定操作などに応じて電気集塵部７およびマイナスイオン発生部８を制御する。
【００２９】
そのため、制御回路１は、リモコン信号を判定する判定部１ａおよび当該空気調和機の運転状態を判定する状態判定部１ｃ，図３および図４に示すルーチンの実行時に用いるタイマ１ｂ，記憶部１ｄ，カウンタ部１ｅ，室内送風ファン６の回転数を検出する回転数検出部１ｆおよび室温・室内湿度（相対湿度）から露点温度Ｔｄを算出する露点温度算出部１ｇを備えている。
【００３０】
また、室外機の制御回路２は、四方弁１５および室外送風ファン１７を制御するために室内機側からの運転モードなどを判別する運転モード判定部２ａと、圧縮機１６を制御する圧縮機制御部２ｂとを備えている。
【００３１】
次に、本発明動作を図３および図４のフローチャートを参照して説明する。まず、リモコン１２によって所定設定操作が行われると、その設定操作に応じて室内機側の制御回路１および室外機側の制御回路２は室温コントロールに必要な制御を行い、あるいはその室温コントロールなどのための運転を停止する。
【００３２】
その運転において、制御回路１は設定操作の運転モードにしたがって開閉パネル３ａ，マルチパネル３ｂを自動的に開閉制御し、上下風向板部４を自動的に方向制御し、室内送風ファン６を回転制御し、また、電気集塵部７およびマイナスイオン発生部８を制御する。
【００３３】
このようにして運転が行われているとき、あるいは運転が停止されているときに、リモコン１２から発信されたクリーン運転信号を受信すると、制御回路１は図３および図４に示すルーチンを実行する。なお、以下の説明でのタイマ時間，室内送風ファンや圧縮機の回転数などは、あくまで一例としてのものである。
【００３４】
このクリーン運転のルーチンでは、まず、タイマ１ｂの３分タイマをスタートし（ステップＳＴ１）、運転モードを暖房に切り替え、圧縮機１６の運転コード０（回転数０ｒｐｓ）を発信し、室内送風ファン６のファン回転数を９００ｒｐｍと弱めの送風とし、開閉パネル３ａを全開状態とし、マルチパネル３ｂを開状態とし、上下風向板部４を水平方向にするとともに、本体表示部１１にクリーン運転の表示を行う（ステップＳＴ２）。この場合、室外機側では、その暖房運転を運転モード判定部２ａで判定して少なくとも四方弁１５を暖房サイクルに切り替える。
【００３５】
圧縮機１６を停止したままでの暖房運転（つまり暖かめの送風運転に近い運転）を３分間維持して室内機内部の乾燥運転を行う。なお、室内送風ファン６が弱めの送風であることから、室内環境の悪化を招くこともない。
【００３６】
３分タイマがタイムアップすると、ステップＳＴ３からステップＳＴ４に進み、カウンタ部１ｅの暖房０コード発信カウンタをインクリメントする（カウント値に＋１を加える）。この場合、最初の暖房０コード発信であることから、その暖房０コード発信カウンタは１となる。
【００３７】
続いて、暖房０コード発信カウンタの値が所定値（例えば４）であるか否かを判断する（ステップＳＴ５）。そのカウンタ値が４でなければ、タイマ１ｂの２分タイマをスタートし（ステップＳＴ６）、運転モードを暖房とし、圧縮機１６の運転コードを８（回転数３９ｒｐｓ）とし、室内送風ファン６のファン回転数を９００ｒｐｍとする（ステップＳＴ７）。この場合にも、室外機側では、圧縮機制御部２ｂで圧縮機１６を回転数３９ｒｐｓに制御し、この圧縮機１６の運転に伴って室外ファン部１７を回転制御することになる。
【００３８】
２分タイマがタイムアップしたか否かを判断し（ステップＳＴ８）、そのタイムアップによりステップＳＴ１に戻って上述した処理を繰り返す。このように、圧縮機１６を０コード運転とした送風運転に近い暖房運転を３分間行い、しかる後、圧縮機１６を８コード運転とした弱めの暖房運転を２分間行い、しかもその両方の運転を少なくとも３回連続して行うことにより、室内機内部を十分に乾燥させることができ、例えばドレンパン１４に凝縮水が溜っていたとしても、その凝縮水を蒸発させて室内機内部を乾燥させることができる。
【００３９】
そして、暖房０コード発信カウンタの値が４になると、ステップＳＴ５からステップＳＴ９に進み、室温センサ９による検出信号により室温を検出するとともに、湿度センサ１０による検出信号により湿度を検出し、これら室温および湿度を室内機内部の温度および湿度と見なす。
【００４０】
次に、その室温および湿度をもとにして露点温度算出部１ｇにて露点温度（室内機内部の空気の露点温度）Ｔｄを算出する（ステップＳＴ１０）。露点温度Ｔｄは、例えば予め室内機内部の空気の温度と飽和蒸気圧を求めて表形式で記憶しておき、検出室温の飽和蒸気圧をその表から得たのち、その飽和蒸気圧に検出湿度を乗じて露点の飽和蒸気圧を算出し、この算出した飽和蒸気圧に対応する温度を上記の表から逆引きすることにより求められる。
【００４１】
そして、ステップＳＴ１１において、運転モードを冷房に設定し、圧縮機１６の運転コード３（回転数２２ｒｐｓ）を発信し、室内送風ファン６のファン回転数を４８０ｒｐｍと極めて弱い送風（スーパーロー）とし、開閉パネル３ａを全閉状態とし、マルチパネル３ｂを開状態とし、上下風向板部４を上向きにするとともに、電気集塵部７およびマイナスイオン発生部８をオフ状態とする。なお、本体表示部１１にはクリーン運転を表示したままとする。
【００４２】
この冷房運転を開始して１分間経過すると（ステップＳＴ１２）、室内熱交換温度センサ１１による検出信号により室内熱交換温度Ｔｄを検出し（ステップＳＴ１３）、この室内熱交換温度Ｔｎが露点温度Ｔｄ＋２℃未満であるか否かを判断する（ステップＳＴ１４）。室内熱交換温度ＴｎがＴｄ＋２℃以上と高めであると、冷房運転を継続し、その室内熱交換温度ＴｎがＴｄ＋２℃未満になるまで監視を行う。
【００４３】
室内熱交換温度ＴｎがＴｄ＋２℃未満になると（Ｔｄ＜Ｔｎ＜Ｔｄ＋２℃になると）、室内熱交換器５ａ，５ｂ，５ｃに結露が生じる条件となるため、冷房運転を停止する（ステップＳＴ１５）。このように、弱めの冷房運転を実行してあらかじめ室内機内部を低温度および低湿度とすることにより、後述するクリーン運転における殺菌、脱臭効果の向上が図れる。
【００４４】
冷房運転を停止した後、次段のステップＳＴ１６において第１クリーンモード運転に入る。この第１クリーンモード運転では、運転モードを送風に決定し、開閉パネル３ａを全閉状態、マルチパネル３ｂを開状態、上下風向板部４を上向きとし、電気集塵部７をオン、マイナスイオン発生部８をオフとする。
【００４５】
この状態で運転を行う一方、タイマ１ｂの１０分タイマをスタートし（ステップＳＴ１７）、室内送風ファン６を５秒間運転するとともに、６００ｒｐｍの正回転とし（ステップＳＴ１８）、しかる後、室内送風ファン６を１分間オフとする（ステップＳＴ１９）。そして、１０分タイマがタイムアップするまで、その室内送風ファン６を５秒運転、１分停止を繰り返す（ステップＳＴ２０）。
【００４６】
この第１クリーン運転により、前面開閉パネル３ａを閉じてほぼ密閉状態とした室内機内部には、電気集塵部７の通電により発生したオゾンが隅々にまで確実に行き渡る。この場合、室内機内部が事前に低温度、低湿度状態にされていることから、オゾンが室内機内部に行き渡る前に分解することもない。
【００４７】
また、マルチパネル３ｂが開状態であることから、そのショートサーキット作用により漏れオゾンが室内機内部に吸入されることになり、室内機内部の殺菌、脱臭が効率的、効果的に行われる。
【００４８】
続いて、１０分タイマがタイムアップすると、ステップＳＴ２０からステップＳＴ２１に進み、第２クリーン運転に入る。この第２クリーン運転では、室内送風ファン６を停止し、マイナスイオン発生部８をオンにしてオゾンを発生し、マルチパネル３ｂも閉じる。なお、電気集塵部７はオンのままとする。
【００４９】
この第２クリーン運転では、まず、タイマ１ｂの１０分タイマをスタートし（ステップＳＴ２２）、室内送風ファンの回転数を回転数検出部１ｆで検出し、回転数が０ｒｐｍであるか否かを判断する（ステップＳＴ２３）。この場合、室内送風ファン６の位置センサからの検出信号により回転数を検出するとよい。
【００５０】
室内送風ファン６の回転数が０ｒｐｍになると、１秒間待機し（ステップＳＴ２４）、しかる後に室内送風ファン６を逆回転し（空気吸い込み方向とし）、その逆回転数を９２０ｒｐｍ程度とする（ステップＳＴ２５）。このようなステップを踏むのは、室内送風ファン６が完全に停止しないまま、逆回転しようとすると、室内送風ファン６の制御が適切に行われないことがあるからである。
【００５１】
室内送風ファン６の逆回転により、ほぼ密閉状態に近い室内機内部にはマイナスイオン発生部８によって発生したオゾンも行き渡らせることができ、しかもそのオゾンが室内機外（室内）への拡散が抑えられる。
【００５２】
続いて、室内送風ファン６の逆回転中に、リモコン１２によって他の機能を設定する信号が入力されたか否かを判断し（ステップＳＴ２６）、その設定操作が行われていないときには運転停止信号が入力したか否かを判断する（ステップＳＴ２７）。なお、その他の機能とは、例えば運転開始信号、除湿信号、空清運転信号あるいはクリーン運転信号などである。
【００５３】
運転停止の設定操作も行われていないときには、１０分タイマがタイムアップしているか否かを判断し（ステップＳＴ２８）、１０分が経過していなければステップＳＴ２６に戻り、上述した判断処理を繰り返し、１０分が経過すると、クリーン運転を停止し（ステップＳＴ２９）、ルーチンを終了する。
【００５４】
このように、室内送風ファン６の逆回転は最大で１０分間継続されることになり、室内機の上部に配置した電気集塵部７によって発生したオゾンだけなく、室内機の下部（この例では空気吹き出し口内）に配置したマイナスイオン発生部８によって発生したオゾンにより、低温度および低湿度状態にある室内機内部の隅々まで、特に背面側の熱交換器５ａや空気吹き出し口付近および空気通路の殺菌、脱臭を効果的に行うことができる。
【００５５】
なお、１０分タイマがタイムアップまでの間に、リモコン１２によって運転停止操作が行われた場合にはステップＳＴ２７からＳＴ２９に進み、クリーン運転を停止し、当該ルーチンを終了する。また、リモコン１２によって他の機能を設定する信号が入力された場合ステップＳＴ２６からＳＴ３０に進み、電気集塵部７をオフにする。
【００５６】
続いて、室内送風ファン６を停止制御し（ステップＳＴ３１）、室内送風ファン６の回転数を検出し、その回転数が０ｒｐｍになると（ステップＳＴ３２）、１秒間待機し（ステップＳＴ３３）、しかる後に当該設定されている他の機能の動作処理を実行する一方（ステップＳＴ３４）、当該クリーン運転を終了する（ステップＳＴ２９）。
【００５７】
なお、クリーン運転がその途中でリモコン１２からの他の機能設定などにより強制的に終了しない限り、クリーン運転終了時には自動的にクリーン運転直前の運転モードに戻す。これにより、再度リモコン１１による設定操作の手間が省け、クリーン運転直前の運転モードの設定状態を覚えていなくともよい。
【００５８】
【発明の効果】
以上説明したように、本発明によれば、電気集塵部およびマイナスイオン発生部からオゾンを発生させて室内機内部の殺菌、脱臭を行うクリーン運転を行う場合、室温および湿度を検出して露点温度を算出して冷房運転を行うとともに、室内熱交換温度を検出して監視し、室内熱交換温度が少なくとも露点温度以下となる前に冷房運転を終了し、室内機内部を低温度・低湿度状態としたうえで、特定された第１および第２クリーン運転を実行するようにしたことにより、クリーン運転時に発生されるオゾンの分解が極力抑えられる。したがって、オゾンを室内機内部の隅々まで行き渡らせて、室内機内部を効率的、効果的に殺菌・脱臭することができる。この冷房運転は、室内機内部を乾燥する暖房運転の後に行うことが効果的である。
【図面の簡単な説明】
【図１】本発明の空気調和機の制御方法が適用される室内機の構成を説明するための模式的な断面図。
【図２】上記空気調和機の制御系を示す概略的ブロック図。
【図３】本発明の動作説明用フローチャート。
【図４】本発明の動作説明用フローチャート。
【符号の説明】
１　室内機側制御回路
１ａ　判定部
１ｂ　タイマ
１ｃ　状態判定部
１ｄ　記憶部
１ｅ　カウンタ部
１ｆ　回転数検出部
１ｇ　露点温度算出部
２　室外機側制御回路
２ａ　運転モード判定部
２ｂ　圧縮機制御部
３ａ　開閉パネル
３ｂ　マルチパネル（補助開閉パネル）
３ｃ，３ｄ　常開型空気吸入口
４　上下風向板
５ａ，５ｂ，５ｃ　室内熱交換器
６　室内送風ファン
７　電気集塵部（電気式空気清浄ユニット）
８　マイナスイオン発生部
９　室温センサ
１０　湿度センサ
１１　室内熱交換温度センサ
１２　リモコン
１３　本体表示部
１４　ドレンパン
１５　四方弁
１６　圧縮機
１７　室外ファン部
【図１】
2004020118.tif 000003
【図２】
2004020118.tif 000004
【図３】
2004020118.tif 000005
【図４】
2004020118.tif 000006